(57)【要約】【課題】漏洩、漏出、溢出等した原料溶液から包接水和物のゲスト分子を簡易な手法で採集並びに除去又は回収する方法を提供することを課題とする。【解決手段】漏洩、漏出、溢出した液体の中に存在する包接化合物のゲスト分子である化合物のうちの少なくとも一部を上記液体から採集する方法であって、上記液体は、包接化合物のゲスト分子を溶質とし、ホスト分子を溶媒とする溶液であり、上記液体を冷却することにより上記包接化合物を生成させる工程と、生成した包接化合物を採集する工程とを有する。【選択図】図１
2009050767.tif 000002
【特許請求の範囲】
【請求項１】
漏洩、漏出、溢出した液体の中に存在する包接化合物のゲスト分子である化合物のうちの少なくとも一部を上記液体から採集する方法であって、
上記液体は、包接化合物のゲスト分子を溶質とし、ホスト分子を溶媒とする溶液であり、
上記液体を冷却することにより上記包接化合物を生成させる工程と、生成した包接化合物を採集する工程とを有することを特徴とする方法。
【請求項２】
漏洩、漏出、溢出した液体の中に存在する包接化合物のゲスト分子である化合物のうちの少なくとも一部を上記液体から除去又は回収する方法であって、
上記液体は、包接化合物のゲスト分子を溶質とし、ホスト分子を溶媒とする溶液であり、
上記液体を冷却することにより上記包接化合物を生成させる工程と、生成した包接化合物を採集する工程と、採集した包接化合物を上記液体が存在する場所とは異なる場所に移動させる工程とを有することを特徴とする方法。
【発明の詳細な説明】
【技術分野】
【０００１】
本発明は、包接化合物のゲスト分子を溶質とし、ホスト分子を溶媒とする溶液が漏洩、漏出、溢出等したとき、その溶液の中に存在するゲスト分子である化合物のうちの少なくとも一部を採集並びに除去又は回収する技術に関する。
【０００２】
なお、本発明において、次に掲げる用語の意味又は解釈は以下のとおりとする。
【０００３】
（１）「包接化合物」とは、複数種の分子が適当な条件下で組み合わさって結晶ができるとき、一方の分子（ホスト分子）が籠状、トンネル形、層状または網状構造をつくり、その隙間に他の分子（ゲスト分子）が入りこんだ構造の化合物の意味であり、包接水和物を除くこととする狭義の包接化合物（特許文献１参照）のみならず、包接水和物（特許文献２、３参照）を含む広義の包接化合物も「包接化合物」に該当する。言うまでもなく、水が凝固してできる氷はこれに該当しない。ホスト分子が構成する籠状、トンネル形、層状または網状構造が不完全であっても、その隙間に他の分子（ゲスト分子）が入りこんだ構造の化合物であれば「包接化合物」（ホスト分子が水分子の場合には「包接水和物」）に含まれる。
【０００４】
（２）「包接化合物生成温度」とは、包接化合物のゲスト分子を溶質とし、そのホスト分子を溶媒とする溶液を冷却したとき、包接化合物が生成すべき平衡温度をいう。原料溶液のゲスト化合物の濃度などにより包接化合物が生成する温度が変動する場合であっても、これを「包接化合物生成温度」という。なお、包接化合物が包接水和物の場合には、「包接化合物生成温度」を「水和物生成温度」という場合がある。
【０００５】
（３）包接化合物のゲスト分子を溶質とし、そのホスト分子を溶媒とする溶液を包接化合物生成温度以下に冷却すると当該包接化合物が生成するという意味で、当該溶液を「原料溶液」という場合がある。
【０００６】
（４）「漏洩溶液」とは、原料溶液の本来収容されているべき場所から漏洩、漏出、溢出等した原料溶液をいう。
【０００７】
（５）「塊状物」とは、一つの集合体としての外形を有する物体をいい、周囲のものと視覚的に区別できる外形であれば、その形状に限定はなく、特に明記する場合を除き、内部の構造、強度、硬度、粘性、密度、組成等は問わない。
【０００８】
（６）「ゲル状」とは、ゼリー、寒天、ゼラチン、流動パラフィン又は蒟蒻（こんにゃく）のようにある程度固化した状態をいう。外表面のみがゲル状であって、内部は液状又は流動状態にある物体の状態又はそのような物体が集合して全体として一体化した外観を有する状態も「ゲル状」に含まれる。
【０００９】
（７）「スラリー」とは、液体中に固体粒子が分散又は懸濁した状態又はその状態にある物質をいう。沈降しがちな固体粒子を浮遊状態とするために界面活性剤を添加したり、機械的に攪拌することもあるが、その場合にも「スラリー」という。
【背景技術】
【００１０】
包接化合物、例えば包接化合物生成温度が０℃以上の包接化合物については、これを蓄熱材（熱輸送媒体を含む）、気体捕集材等に適用すべく研究開発が行われている（特許文献４乃至７）。
【００１１】
包接化合物の用途に拘らず、これを準備するためには、まず原料溶液が必要になる。原料溶液を準備は、例えば、包接化合物のホスト分子とゲスト分子のそれぞれに対応する薬剤や原料物質を調達し、調合することにより行われる。予め用意しておいた高濃度の原料溶液を、使用現場に搬送し、その場で希釈することにより、目的とする濃度の原料溶液が準備される場合もある（特許文献８）。そして、かくして準備された原料溶液は、所定の場所（例えば、容器や槽）に少なくとも一時的に貯蔵され、保管又は管理される場合がある。
【特許文献１】特開２００５−４１９０８号公報
【特許文献２】特公昭５７−３５２２４号公報
【特許文献３】特開２０００−１１１２８３号公報
【特許文献４】特許３６４１３６２号公報
【特許文献５】特許３８２６１７６号公報
【特許文献６】特開２００６−１１７４８５号公報
【特許文献７】特許３６７１２１４号公報
【特許文献８】特開２００３−１２６６７６号公報
【発明の開示】
【発明が解決しようとする課題】
【００１２】
しかし、原料溶液を準備、保管又は管理する際、作業者の不手際や事故などの原因により、原料溶液の本来収容されるべき所定の場所からこの原料溶液が漏洩、漏出、溢出等してしまった場合、漏洩、漏出、溢出等の量や状況、原料溶液の内容物及びその性質などにもよるが、そのまま流して捨ててしまうのは、包接化合物のゲスト分子の処分の仕方、経済性などの点で問題が生じないとも限らない。
【００１３】
本発明は、上記の問題に鑑みてなされたものであり、漏洩、漏出、溢出等した原料溶液から包接水和物のゲスト分子を簡易な手法で採集並びに除去又は回収する方法を提供することを課題とする。
【課題を解決するための手段】
【００１４】
上記の目的を達成するための、本発明の第１の形態に係る包接化合物のゲスト分子を採集する方法は、漏洩、漏出、溢出等した液体の中に存在する包接化合物のゲスト分子である化合物のうちの少なくとも一部を上記液体から採集する方法であって、上記液体が、包接化合物のゲスト分子を溶質とし、ホスト分子を溶媒とする溶液（即ち漏洩溶液）であり、上記液体を冷却することにより上記包接化合物を生成させる工程と、生成した包接化合物を採集する工程とを有することを特徴とするものである。ここで、「採集」とは、漏洩溶液そのものから、ゲスト分子化合物を含む包接水和物を取り出し集めることをいう。
【００１５】
本発明の第２の形態に係る包接化合物のゲスト分子を除去又は回収する方法は、漏洩、漏出、溢出等した液体の中に存在する包接化合物のゲスト分子である化合物のうちの少なくとも一部を上記液体から除去又は回収する方法であって、上記液体は、包接化合物のゲスト分子を溶質とし、ホスト分子を溶媒とする溶液（即ち漏洩溶液）であり、上記液体を冷却することにより上記包接化合物を生成させる工程と、生成した包接化合物を採集する工程と、採集した包接化合物を上記液体が存在する場所とは異なる場所に移動させる工程とを有することを特徴とするものである。ここで、「回収」とは、上記「採集」した包接水和物を漏洩溶液の存在する場所（漏洩のあった場所）から、再利用を前提にした処理を行う場所へ移動することをいう。
【００１６】
なお、本発明において、「漏洩、漏出、溢出等した液体の中に存在する包接化合物のゲスト分子である化合物のうちの少なくとも一部を」としているのは、液体の漏洩、漏出、溢出等の範囲が広範囲に及ぶ場合、当該液体の全部に対し、一度に本発明を適用することが困難である一方で、範囲を区切って本発明を適用することは可能であるといった点や、漏洩、漏出、溢出等した液体の深度が高い場合、高深度にあるものを含めた当該液体の全部に対し、一度に本発明を適用することが困難である一方で、表層にある液体から順に又は少しづつ採取した液体に対し本発明を適用することは可能であるといった点を、現実的に考慮したためである。
【発明の効果】
【００１７】
原料溶液を包接化合物生成温度以下に冷却すると、その中に包接化合物が生成し、スラリーとなる。このとき、ゲスト分子の濃度が当初から高ければ、更に冷却することにより粘性が高まり、ゲル状を呈するに至る。ゲスト分子の濃度がそれほど高くない場合であっても、スラリーになったものは濾過器や遠心分離機などを用いて寄せ集め易く、それにより搾れば、包接化合物が集合して、外形的にはゲル状を呈したものとなる。これらのゲル状を呈する物質の中には包接化合物のゲスト分子が取り込まれており、ゲル状を呈しているが故に作業者は直に採集し易く、除去又は回収も行い易くなる。
【００１８】
以上の技術的事項は漏洩溶液にも当て嵌まる。それ故、本発明の第１の形態によれば、漏洩溶液を冷却することにより包接化合物をその漏洩溶液の中に生成させ、ゲル状又はスラリーという採集し易い形態にし、その上で採集を行うので、漏洩溶液の中に存在する包接化合物のゲスト分子である化合物のうちの少なくとも一部を、簡易且つ容易に採集することができる。
【００１９】
また、本発明の第２の形態によれば、採集した包接化合物を上記液体が存在する場所とは異なる場所に移動させるので、漏洩溶液の中に存在する包接化合物のゲスト分子である化合物のうちの少なくとも一部を簡易且つ容易に採集し、故に別の場所に容易に移動させることができるので除去又は回収が容易になり、その後は当該別の場所で所望の処理（例えば同一目的又は別目的に再利用のため処理）を施すことができる。
【００２０】
なお、採集、除去及び回収の各仕方については、本発明の奏効性を無にしない限り、特に制限はなく、いかなる手法もこれに採用することができる。例えば採集の仕方については、吸引機で吸引して集める、箒で刷き集める、熊手で掻き寄せるなどの手法を適宜これに採用することができる。
【発明を実施するための最良の形態】
【００２１】
以下、添付図面にもとづき本発明の実施形態を説明する。
【００２２】
＜実施形態１＞
図１は、本発明の実施形態１に係る包接化合物のゲスト分子の採集方法の説明図である。原料溶液（従って漏洩溶液）は、液体包接水和物のゲスト分子の水溶液の典型例である、臭化テトラｎブチルアンモニウム（ＴＢＡＢ）の３５〜４０重量％程度の水溶液（水和物生成温度：１１〜１２℃程度）とする。
【００２３】
原料溶液を準備、保管又は管理する際、何らかの原因により、原料溶液の本来収容されるべき所定の場所からこの原料溶液が漏洩、漏出、溢出等してしまったととき、まず、その漏洩、漏出、溢出等した場所を特定する（工程Ｓ１）。
【００２４】
次に、その場所にある漏洩溶液を水和物生成温度以下に冷却する（工程Ｓ２）。その冷却の仕方の具体例としては、（ア）漏洩溶液を採取して容器に移し、その容器ごと水和物生成温度以下に冷却する、（イ）漏洩溶液の水溜りに保冷材を投入してその保冷材の周囲から水和物生成温度以下に冷却する、（ウ）漏洩溶液を吸引し、ごみ取りなどど必要な予備処理を施した後、冷却装置に送込み、水和物生成温度以下に冷却する、（エ）低温気体発生装置により水和物生成温度以下の低温気体を漏洩溶液に吹き付け、その低温気体の冷熱の効果が及ぶ範囲にある漏洩溶液を水和物生成温度以下に冷却する、（オ）漏洩液体を取巻く環境の温度（外気温）が水和物生成温度以下になるのを待ち、外気からの冷熱により漏洩液体を水和物生成温度以下に冷却する、等々を挙げることができる。
【００２５】
上記の冷却により、漏洩溶液の中に包接水和物が生成する。生成した包接水和物が漏洩溶液に対して相対的に少量である場合には、漏洩溶液に分散又は懸濁して流動性が高いスラリーになるが、生成した包接水和物が漏洩溶液に対して相対的に多量である場合には、スラリーの流動性は低下して、全体として又は局所的にゲル状になる。一般に、ＴＢＡＢの濃度が十分高く、漏洩溶液中におけるＴＢＡＢの移動が制限されない場合には、冷却が進行するほど後者の場合、即ちスラリーよりもゲル状になって行く（工程Ｓ３）。
【００２６】
包接水和物がゲル状に至らない場合には、そのスラリーに対して予備処理を施して、外形上ゲル状の様相を呈したものに加工してもよい（工程Ｓ４）。例えば、比較的粗めのフィルターにスラリーを通過させて又はスラリーを遠心分離機にかけて、余分な水分を除去し、濃縮させる。これにより、包接水和物のゲル状の塊を得ることができる。なお、この予備処理中の温度は、言うまでもなく、水和物生成温度以下である。
【００２７】
次に、包接水和物のスラリー又はゲル状の包接水和物（上記の予備処理により外形上ゲル状の様相を呈するに至ったものを含む）を採集する（工程Ｓ５）。なお、上記の予備処理では、包接水和物をスラリーからゲル状を呈するものに加工しているが、この加工により当該スラリーは採集できる状態になるのであるから、当該予備処理に相当する作業を、この段階における包接水和物のスラリーの採集と考えることができる。
【００２８】
以上の工程により、漏洩溶液の中に存在する包接化合物のゲスト分子である化合物のうちの少なくとも一部を、簡易に且つ容易に採集することができる。
【００２９】
＜実施形態２＞
図２は、本発明の実施形態２に係る包接化合物のゲスト分子の採集方法の説明図である。工程Ｓ５に続いて工程Ｓ６がある点を除き、図１に示された実施形態１に係る包接化合物のゲスト分子の採集方法の工程Ｓ１乃至Ｓ５と同じである。
【００３０】
工程Ｓ６は、工程Ｓ５の段階で採集された包接水和物のゲスト分子を、漏洩溶液が存在する又は存在していた場所とは異なる別の場所に移動させる。これにより、除去又は回収が完了する。これにより、漏洩溶液の中に存在する包接化合物のゲスト分子である化合物のうちの少なくとも一部を簡易且つ容易に採集し、故に別の場所に容易に移動させることができるので除去又は回収が容易になり、その後は当該別の場所で所望の処理（例えば同一目的又は別目的に再利用のため処理）を施すことができる。
【００３１】
以上においては、包接水和物のゲスト分子の水溶液を原料溶液（従って漏洩溶液）とする場合について説明してきた。しかし、言うまでもなく、包接化合物のゲスト分子を溶質とし、そのホスト分子を溶媒とする溶液（包接水和物のゲルト分子の水溶液を除く）にも本発明は適用可能であり、その射程が及び、その技術的範囲から排除されない。
【図面の簡単な説明】
【００３２】
【図１】本発明の実施形態１に係る漏洩、漏出、溢出等した液体の中に存在する包接化合物のゲスト分子である化合物のうちの少なくとも一部を上記液体から採集する方法の工程フローの説明図である。
【図２】本発明の実施形態２に係る漏洩、漏出、溢出等した液体の中に存在する包接化合物のゲスト分子である化合物のうちの少なくとも一部を上記液体から除去又は回収する方法の工程フローの説明図である。
【図１】
2009050767.tif 000003
【図２】
2009050767.tif 000004